(57)【特許請求の範囲】
【請求項１】
複数のＳＡ期間を介して相互に通信する端末間（Ｄ２Ｄ）対応ワイヤレスデバイスによって用いられるスケジューリング割り当て（ＳＡ）通知方法であって、前記ＳＡ期間は各々ＳＡプールおよびデータプールを含み、前記ＳＡプールは、前記データプールのデータリソースを割り当てるためのＳＡを送信するのに使われ、前記方法が、
或るＤ２Ｄ対応ワイヤレスデバイスに対し同じデータリソースを割り当てるための複数ＳＡを送信する、複数のＳＡ期間のＳＡプール中のＳＡリソースを選択するステップと、
未選択のＳＡ期間のデータリソースパターンであって、前記選択されたＳＡ期間のデータリソースパターンと同じデータリソースパターンにリンクされた前記ＳＡリソースである予約済みのＳＡリソースを、他のＤ２Ｄ対応ワイヤレスデバイスのＳＡを反復送信するために、または新規データリソースを割り当てるため他のＤ２Ｄ対応ワイヤレスデバイスの前記ＳＡを送信するために用いるステップと、を含む、
方法。
【請求項２】
ＳＡ中に示されたデバイスＩＤ、または繰り返されたＳＡインデックスもしくは送信対象のＳＡリソースのインデックスの間のリンケージを用いて、二つのＳＡが繰り返しかどうかを判定するステップ、
をさらに含む、請求項１に記載の方法。
【請求項３】
他のＤ２Ｄ対応ワイヤレスデバイスの前記データリソースパターンが、他のＤ２Ｄ対応ワイヤレスデバイスの当初のＳＡインデックスによって定められていること、
をさらに含む、請求項１に記載の方法。
【請求項４】
他のＤ２Ｄ対応ワイヤレスデバイスのデータリソースパターンが、前記Ｄ２Ｄ対応ワイヤレスデバイスのＳＡインデックスと、前記ＳＡ中に示されるか、または指定もしくは事前定義される一つのオフセットと、によって定められること、
をさらに含む、請求項１に記載の方法。
【請求項５】
デバイスＩＤ、またはｅＮＢもしくはカバレッジ内のＵＥによる設定に基づいて、同一のまたは異なるＳＡ期間中で、異なったＤ２Ｄ対応ワイヤレスデバイスのＳＡをインターリービングに送信するステップ、
をさらに含む、請求項１に記載の方法。
【請求項６】
一つのＳＡ期間の前記ＳＡプールが複数のＳＡ候補を含み、一つのＳＡ期間中の、前記Ｄ２Ｄ対応ワイヤレスデバイスの前記ＳＡを送信するための前記ＳＡ候補は、時間ドメインで、次のＳＡ期間中の他の位置にシフトされるが、かかるＳＡを送信するための相対的な候補インデックスは変更されない、
請求項１に記載の方法。
【請求項７】
一つのＳＡ期間の前記ＳＡプールが複数のＳＡ候補を含み、一つのＳＡ期間中の、前記Ｄ２Ｄ対応ワイヤレスデバイスの前記ＳＡを送信するための前記ＳＡ候補は、時間ドメインで、次のＳＡ期間中で変更はされないが、前記ＳＡを送信するための相対的な候補インデックスがシフトされる、
請求項１に記載の方法。
【請求項８】
最初のＳＡ期間の前記ＳＡ中のデータ長インディケータは全体データ長を示し、中間のＳＡ期間の前記ＳＡ中の前記データ長インディケータは、データリソース割り当てに対する残りのＳＡ期間を反映する低減されたデータ長を示す、
請求項１に記載の方法。
【請求項９】
最初のＳＡ期間の前記ＳＡ中のデータ長インディケータは全体データ長を示し、中間のＳＡ期間の前記ＳＡの前記データ長インディケータは、１ビットを使って、次のＳＡ期間に対する「継続」または「停止」を示す、
請求項１に記載の方法。
【請求項１０】
「継続」または「停止」を示す前記１ビットを除く前記ＳＡのデータ長フィールドの他のビットは、仮想ＣＲＣのために使われる、
請求項９に記載の方法。
【請求項１１】
前記データリソースを割り当てるための、ＳＡ期間の前記ＳＡリソースが、Ｄ２Ｄ対応ワイヤレスデバイスによって検出されたとき、次のＳＡ期間中の同じデータリソースを示す前記ＳＡリソースは、そのＤ２Ｄ対応ワイヤレスデバイスによっては検出されない、請求項１に記載の方法。
【請求項１２】
複数のＳＡ期間を介して他の端末間（Ｄ２Ｄ）対応ワイヤレスデバイスと通信するためのＤ２Ｄ対応ワイヤレスデバイスであって、前記ＳＡ期間は各々ＳＡプールおよびデータプールを含み、前記ＳＡプールは、前記データプールのデータリソースを割り当てるためのＳＡを送信するのに使われ、前記Ｄ２Ｄ対応ワイヤレスデバイスは、
前記Ｄ２Ｄ対応ワイヤレスデバイスに対し同じデータリソースを割り当てるため、複数のＳＡ期間のＳＡプール中のＳＡリソースを選択するよう構成された選択ユニットを含み、
前記選択ユニットは、未選択のＳＡ期間のデータリソースパターンであって、前記選択されたＳＡ期間のデータリソースパターンと同じデータリソースパターンにリンクされたＳＡリソースである予約済みのＳＡリソースを、他のＤ２Ｄ対応ワイヤレスデバイスのＳＡを反復送信するために、または新規データリソースを割り当てるため他のＤ２Ｄ対応ワイヤレスデバイスの前記ＳＡを送信するために用いるように、さらに構成される、
Ｄ２Ｄ対応ワイヤレスデバイス。
【発明の詳細な説明】
【技術分野】
【０００１】
本開示は、端末間ワイヤレス通信におけるスケジューリング割り当ての方法、および該方法を用いるＤ２Ｄ対応ワイヤレスデバイスに関する。
【背景技術】
【０００２】
端末間通信（Ｄ２Ｄ：ｄｅｖｉｃｅ  ｔｏ  ｄｅｖｉｃｅ）は、デバイス間での直接通信であり、かかる種類の通信は、ネットワークのカバレッジ内で（商業用途の場合）およびネットワークカバレッジなし（公共安全用途の場合）で行うことができる。
【０００３】
端末間通信では、通信システムは、連続するスケジューリング割り当て（ＳＡ：ｓｃｈｅｄｕｌｉｎｇ  ａｓｓｉｇｎｍｅｎｔ）期間を介して通信する複数のＤ２Ｄ対応ワイヤレスデバイスを含み、ＳＡ期間のそれぞれがＳＡプールおよびデータプールを含む。同じまたは相異なるＤ２Ｄ対応ワイヤレスデバイスに対し、ＳＡ期間のデータプールのデータリソースを割り当てるためのＳＡを送信するのにＳＡ期間のＳＡプールが使われる。
【０００４】
図１は、同じＤ２Ｄ対応ワイヤレスデバイスに対し、複数の連続するＳＡ期間のデータプールのデータリソースを割り当てるためのＳＡを送信するのにＳＡ期間のＳＡプールが使われている図を示す。図１において、例えば、ＳＡ期間＃１、ＳＡ期間＃２、ＳＡ期間＃３、ＳＡ期間＃４、およびＳＡ期間＃５を含む五つのＳＡ期間が示され、各ＳＡ期間は、参照符号１０１、１０２、１０３、１０４、１０５によって示されるＳＡプールと、参照符号１１１、１１２、１１３、１１４、１１５によって示されるデータプールとを含む。
【０００５】
図１に示されるように、ＳＡ期間＃１のＳＡプール１０１が、ＳＡ期間＃１、ＳＡ期間＃２、ＳＡ期間＃３、ＳＡ期間＃４、およびＳＡ期間＃５のデータプール１１１、１１２、１１３、１１４、１１５のデータリソースを割り当てるためのＳＡを送信するのに使われ、ＳＡ期間＃２、ＳＡ期間＃３、ＳＡ期間＃４、およびＳＡ期間＃５のＳＡプールは、ここではＳＡを送信するために使用されていない。ＳＡを送信していないこれらのＳＡプールにおいて、ＵＥは、他のＵＥによって送信されたＳＡを受信することができる。この場合、Ｄ２Ｄ対応ワイヤレスデバイスは、各ＳＡ期間でＳＡを送信する必要がなく、ＳＡを受信する比率を改善し、Ｄ２Ｄ対応ワイヤレスデバイスの送信電力を節減することができる。
【発明の概要】
【発明が解決しようとする課題】
【０００６】
しかしながら、このリソース割り当てはＤ２Ｄ対応ワイヤレスデバイス自身の選択に基づいているので、Ｄ２Ｄ対応ワイヤレスデバイスが、例えば図１における全五つのＳＡ期間中のデータリソースを示すためにＳＡ期間＃１で送信される、割り当てのシグナリングをしそこなった場合、ＳＡおよび／またはデータ送信が衝突する可能性がある。
【０００７】
本開示は上記の見地を考慮して作成された。
【課題を解決するための手段】
【０００８】
実施形態の一例において、スケジューリング割り当て（ＳＡ）通知方法が提供され、本方法は、複数のＳＡ期間を介して相互に通信する端末間（Ｄ２Ｄ）対応ワイヤレスデバイスによって用いられ、ＳＡ期間の各々はＳＡプールおよびデータプールを含み、ＳＡプールは、データプールのデータリソースを割り当てるためのＳＡを送信するのに使われ、本方法は、Ｄ２Ｄ対応ワイヤレスデバイスに対し同じデータリソースを割り当てるための複数のＳＡを送信するために、複数のＳＡ期間のＳＡプール中のＳＡリソースを選択するステップを含む。
【０００９】
本実施形態の一例において、本方法は、他のＤ２Ｄ対応ワイヤレスデバイスのＳＡを反復送信するため予約済みの（又は、確保された）ＳＡリソースを用いるステップをさらに含み、これら予備のＳＡリソースは、選択されたＳＡ期間のデータリソースパターンと同じ未選択のＳＡ期間のデータリソースパターンにリンクされたＳＡリソースである。
【００１０】
本実施形態の一例において、本方法は、ＳＡ中に示されたデバイスＩＤ、または繰り返されたＳＡインデックスもしくは送信対象のＳＡリソースのインデックスの間のリンケージを用いて、二つのＳＡが繰り返しかどうかを判定するためのステップをさらに含む。
【００１１】
本実施形態の一例において、他のＤ２Ｄ対応ワイヤレスデバイスのデータリソースパターンは、他のＤ２Ｄ対応ワイヤレスデバイスの当初のＳＡインデックスによってなお定められている。
【００１２】
本実施形態の一例において、本方法は、新規データリソースを割り当てるため、他のＤ２Ｄ対応ワイヤレスデバイスのＳＡを送信するのに予約済みのＳＡリソースを用いるステップをさらに含み、これら予約済みのＳＡリソースは、未選択のＳＡ期間のデータリソースパターンであって、選択されたＳＡ期間のデータリソースパターンと同じデータリソースパターンにリンクされたＳＡリソースである。
【００１３】
本実施形態の一例において、他のＤ２Ｄ対応ワイヤレスデバイスのデータリソースパターンは、Ｄ２Ｄ対応ワイヤレスデバイスのＳＡインデックスと一つのオフセットとによって決められ、該オフセットは、ＳＡ中に示されるか、または指定されるかもしくは事前定義される。
【００１４】
本実施形態の一例において、本方法は、デバイスＩＤ、またはｅＮＢもしくはカバレッジ内のＵＥによる設定に基づいて、同一のまたは異なるＳＡ期間中で、異なったＤ２Ｄ対応ワイヤレスデバイスのＳＡをインターリービングに送信するステップをさらに含む。
【００１５】
本実施形態の一例において、一つのＳＡ期間のＳＡプールが複数のＳＡ候補を含み、一つのＳＡ期間中の、Ｄ２Ｄ対応ワイヤレスデバイスのＳＡを送信するためのこれらＳＡ候補は、時間ドメインで次のＳＡ期間中の他の位置にシフトされるが、かかるＳＡを送信するための相対的な候補インデックスは変更されない。
【００１６】
本実施形態の一例において、一つのＳＡ期間のＳＡプールは複数のＳＡ候補を含み、一つのＳＡ期間中の、Ｄ２Ｄ対応ワイヤレスデバイスのＳＡを送信するためのこれらＳＡ候補は、次のＳＡ期間中で時間ドメインでの変更はされないが、該ＳＡを送信するための相対的な候補インデックスはシフトされる。
【００１７】
本実施形態の一例において、最初のＳＡ期間のＳＡ中のデータ長インディケータは全体データ長を示し、中間のＳＡ期間のＳＡ中のデータ長インディケータは、データリソース割り当てに対する残りのＳＡ期間を反映する低減されたデータ長を示す。
【００１８】
本実施形態の一例において、最初のＳＡ期間のＳＡ中のデータ長インディケータは全体データ長を示し、中間のＳＡ期間のＳＡ中のデータ長インディケータは、１ビットを使って、次のＳＡ期間に対する「継続」または「停止」を示す。
【００１９】
本実施形態の一例において、「継続」または「停止」を示す１ビットを除くＳＡのデータ長フィールドの他のビットは、仮想ＣＲＣのために使われる。
【００２０】
本実施形態の一例において、データリソースを割り当てるための、ＳＡ期間のＳＡリソースが、Ｄ２Ｄ対応ワイヤレスデバイスによって検出されたとき、次のＳＡ期間中の同じデータリソースを示すＳＡリソースは、そのＤ２Ｄ対応ワイヤレスデバイスによっては検出されない。
【００２１】
本開示の別の実施形態において、端末間（Ｄ２Ｄ）対応ワイヤレスデバイスが提供され、本デバイスは、複数のＳＡ期間を介して他のＤ２Ｄ対応ワイヤレスデバイスと通信し、複数のＳＡ期間の各々はＳＡプールおよびデータプールを含み、ＳＡプールは、データプールのデータリソースを割り当てるためのＳＡを送信するのに使われ、本Ｄ２Ｄ対応ワイヤレスデバイスは、或るＤ２Ｄ対応ワイヤレスデバイスに対し同じデータリソースを割り当てるため、複数のＳＡ期間のＳＡプール中のＳＡリソースを選択するよう構成された選択ユニットを含む。
【００２２】
本実施形態の一例において、この選択ユニットは、他のＤ２Ｄ対応ワイヤレスデバイスのＳＡを反復送信するために、または新規データリソースを割り当てるため他のＤ２Ｄ対応ワイヤレスデバイスのＳＡを送信するために、予約済みのＳＡリソースを用いるようさらに構成され、これら予約済みのＳＡリソースは、未選択のＳＡ期間のデータリソースパターンであって選択されたＳＡ期間のデータリソースパターンと同じデータリソースパターンにリンクされたＳＡリソースである。
【００２３】
本開示によるＳＡ通知方法およびＤ２Ｄ対応ワイヤレスデバイスは、ＳＡプールの容量を増加し、ＳＡおよび／またはデータ送信の衝突を回避し、ＳＡ送信のロバストネスを増強することが可能である。その一方で、仮想ＣＲＣの利用によってエラー検出性能を向上することもできよう。
【００２４】
本開示のこれらのおよび／または他の特徴および利点は、添付の図面と併せ、以下の本開示の実施形態の詳細な説明によってより明瞭になり、容易に理解されよう。
【図面の簡単な説明】
【００２５】
【図１】同一のＤ２Ｄ対応ワイヤレスデバイスに対し、データプールのデータリソースを割り当てるためのＳＡを送信するのにＳＡ期間のＳＡプールが使われていることを示す図
【図２】本開示の或る実施形態による、ＳＡ期間＃１中のＳＡによって示されているのと同じデータリソースを示す複数のＳＡを送信するため、複数のＳＡ期間のＳＡプールが使われていることを示す図
【図３】本開示の或る実施形態による、他のＤ２Ｄ対応ワイヤレスデバイスのＳＡを送信するためにデータリソースにリンクされた未選択のＳＡプールの予約済みのＳＡリソースが使われているのを示す図
【図４】本開示の或る実施形態による、他のＤ２Ｄ対応ワイヤレスデバイスのＳＡを送信するために未選択のＳＡ期間の予約済みのＳＡリソースが使われているのを示す図
【図５】本開示の或る実施形態による、他のＤ２Ｄ対応ワイヤレスデバイスのＳＡを送信するために未選択のＳＡプール中の予約済みのＳＡリソースが使われているのを示す図
【図６】本開示の或る実施形態による、ＳＡを送信するためのＳＡ期間がＵＥ固有のものであり、相互にインタリーブされていることを示す図
【図７】本開示の或る実施形態による、ＳＡ送信が時間ドメインで変化することを示す図
【図８】本開示の或る実施形態による、ＳＡ送信が時間ドメインで変化することを示す図
【図９】本開示の或る実施形態による、ＳＡを送信するためのＳＡ候補がどのようにシフトされるのかを示す図
【図１０】本開示の或る実施形態による、ＳＡを送信するためのＳＡ候補がどのようにシフトされるのかを示す図
【図１１】本開示の或る実施形態による、ＳＡ期間中のデータ長を示すためにＤ２Ｄ対応ワイヤレスデバイスに対するＳＡプール中のＳＡのデータ長インディケータが使われているのを示す図
【図１２】本開示の或る実施形態による、ＳＡ期間中のデータ長を示すためにＤ２Ｄ対応ワイヤレスデバイスに対するＳＡのデータ長インディケータが使われているのを示す図
【図１３】本開示の或る実施形態による、或るＤ２Ｄ対応ワイヤレスデバイスを概略的に示すブロック図
【図１４】本開示の或る実施形態による、ＳＡ通知方法のフローチャート
【発明を実施するための形態】
【００２６】
以下の詳細な説明では添付の図面への参照が行われ、これらの図面は本開示の一部を形成する。これらの図面において、文脈上別段の定めがある場合を除き、同様な符号は、通常、同様な構成要素を示す。当然のことながら、本開示の態様は、多種多様な異なる構成にアレンジ、代替、組み合わせ、および設計することが可能であり、これらの全ては本開示の一部と明確に見なされ本開示を構成する。
【００２７】
図面と関連させて以下に、本開示を説明することとする。
【００２８】
図２は、本開示の或る実施形態による、ＳＡ期間＃１中のＳＡによって示されているのと同じデータリソースを示す複数のＳＡを送信するため、複数のＳＡ期間のＳＡプールが使われている図である。
【００２９】
本実施形態において、スケジューリング割り当て（ＳＡ）通知方法が提供され、本方法は、複数のＳＡ期間を介して相互に通信する端末間（Ｄ２Ｄ）対応ワイヤレスデバイスによって用いられ、複数のＳＡ期間は各々ＳＡプールおよびデータプールを含み、ＳＡプールは、データプールのデータリソースを割り当てるためのＳＡを送信するのに使われる。
【００３０】
一例において、ＳＡは、Ｄ２Ｄ対応ワイヤレスデバイス（以降、ＵＥともいう）に対するＳＡ期間のデータプールのデータリソースパターンを示す情報を非明示的に含み、また、ＳＡは、受信側ＵＥ（ターゲットデバイス）または送信側ＵＥ（ソースデバイス）のＩＤを示す。ＳＡを送信するためのＳＡリソースは、例えばＳＡインデックスまたはＳＡリソースインデックスなどによって識別することが可能である。
【００３１】
本実施形態によれば、複数のＳＡ期間のＳＡプールが、Ｄ２Ｄ対応ワイヤレスデバイスに対し同じデータリソースを割り当てる複数のＳＡを送信するために選択される。本実施形態によれば、図２に示されるように、ＳＡ送信の機会が増加され、このＵＥは、残りのデータリソースを示すＳＡを送信するために、ＳＡプール２０１に加えて、ＳＡ期間＃３および＃５中のＳＡプール２０３および２０５も使っている。ＳＡプール２０２および２０４など、ＳＡを送信していないＳＡプールでは、他のＵＥによって送信されるＳＡを検出し受信することが可能である。
【００３２】
本開示において、ＳＡプール中で送信されるＳＡは、特定のデータリソースパターンがデータプール中のデータリソースのマッピングに対応していることを示し、これらのパターンの少なくとも二つは、データプール内の時間ドメインにおいてオーバーラップしない。
【００３３】
本実施形態によれば、複数のＳＡ送信は、ＵＥが相互の衝突を回避するのを助力することができよう。
【００３４】
本出願の別の実施形態によれば、ＵＥが、ＳＡプール２０１、２０３、２０５のいずれか一つでＳＡリソースを検出したとき、そのＵＥは、ＳＡプール２０２および２０４など次のＳＡ期間がＳＡを送信しないであろうことを知り、しかして、ＵＥは次のＳＡ期間では検出を実施しないことになる。すなわち、Ｄ２Ｄ対応ワイヤレスデバイス（ＵＥ）によって、データリソースを割り当てるための、ＳＡ期間のＳＡリソースが検出されたとき、次のＳＡ期間中の同じデータリソースを示すＳＡリソースはそのＤ２Ｄ対応ワイヤレスデバイスによって検出はされない。しかして、Ｄ２Ｄ対応ワイヤレスデバイスの電力が節約される。
【００３５】
図３は、本開示の或る実施形態による、データリソースにリンクされた未選択のＳＡプールの予約済みのＳＡリソースが、他のＤ２Ｄ対応ワイヤレスデバイスのＳＡを送信するのに使われているのを示す図である。
【００３６】
本実施形態において、Ｄ２Ｄ対応ワイヤレスデバイスの未選択のＳＡ期間の、選択されたＳＡ期間のデータリソースパターンと同じデータリソースパターンにリンクされたＳＡリソース（予約済みのＳＡリソースと呼ぶ）が、他のＤ２Ｄ対応ワイヤレスデバイスのＳＡを反復送信するために用いられる。
【００３７】
図３に示されるように、逆向きの斜線で表されている、未選択のＳＡ期間の予約済みのＳＡリソース３０２および３０４は、他のＤ２Ｄ対応ワイヤレスデバイスのＳＡを反復送信するのに使われ、これら予約済みのＳＡリソース３０２および３０４は、ＳＡリソース３０１、３０３、および３０５と同じデータリソースにリンクされる。
【００３８】
図４は、本開示の或る実施形態による、未選択のＳＡ期間の予約済みのＳＡリソースが、他のＤ２Ｄ対応ワイヤレスデバイスのＳＡを送信するために使われているのを示すさらなる図である。
【００３９】
図４に示されるように、ＳＡ期間＃０および＃２のＳＡプールは、ＵＥ１が「Ｄａｔａ＿ａ」のデータリソースを割り当てるため「ＳＡ＿ａ」を送信するのに用いられ、ＳＡ＿ａを送信するためＵＥ１によって選択されていない、ＳＡ期間＃１のＳＡプール４１１は、ＵＥ２が「Ｄａｔａ＿ｂ」のデータリソースを割り当てるためＳＡ＿ｂを送信するのに用いられている。本開示のこの実施形態によれば、ＵＥ２は、前のＳＡ期間から、ＵＥ１がＳＡ期間＃１中のＳＡプール４１１に予約済みのＳＡリソースを有することを知り、したがって、ＵＥ２は、ＵＥ１によるＳＡプール４１１中の予約済みのＳＡ中で、同じ「ＳＡ＿ｂ」を送信する。
【００４０】
一例において、ＵＥ１は、例えば、ＳＡ中に示されたソースデバイスＩＤまたはターゲットデバイスＩＤによる、あるいはＳＡ＿ｂと予約済みのＳＡ＿ａとの間の何らかのリンク関係による、ＳＡ＿ｂのポテンシャルなソフト組み合わせのため、該ＵＥ１自身の予約済みのＳＡリソースもモニタすることになる。同様に、別の実施形態によれば、ターゲットデバイスにおいて、ＳＡ中に示されるデバイスＩＤ、または反復されているＳＡインデックスもしくは送信対象のＳＡリソースのインデックスの間のリンケージを使って、二つのＳＡが反復されているかどうかを判定することが可能である。
【００４１】
この例において、ＳＡプール４１１の予約済みのＳＡ中の新規のＳＡ＿ｂは、「ｄａｔａ＿ｂ」に新規データリソースを割り当てず、当初の「ＳＡ＿ｂ」によって当初割り当てられたデータリソースを示すだけであり、しかして、データリソース「ｄａｔａ＿ｂ」は、新規のＳＡ＿ｂでなく当初のＳＡ＿ｂによって決められる。すなわち、他のＤ２Ｄ対応ワイヤレスデバイスの新規ＳＡによって示されるデータリソースパターンは、他のＤ２Ｄ対応ワイヤレスデバイスの当初のＳＡインデックスによってなお定められる。
【００４２】
上記の実施形態は、「ＳＡ＿ｂ」のロバストネスを増強することになる。
【００４３】
図５は、本開示の或る実施形態による、未選択のＳＡプール中の予約済みのＳＡリソースが、他のＤ２Ｄ対応ワイヤレスデバイスのＳＡを送信するために使われているのを示すさらなる図である。
【００４４】
本実施形態によれば、このＤ２Ｄ対応ワイヤレスデバイスの未選択のＳＡプール中の予約済みのＳＡリソースが、新規データリソースを割り当てるため他のＤ２Ｄ対応ワイヤレスデバイスのＳＡを送信するのに使われる。
【００４５】
図５に示されるように、ＳＡ期間＃０および＃２のＳＡプールは、ＵＥ１が「Ｄａｔａ＿ａ」のデータリソースを割り当てるためＳＡ＿ａを送信するのに使われ、ＳＡ＿ａを送信するためにＵＥ１によって選択されていない、ＳＡ期間＃１の予約済みのＳＡリソース５１１は、ＵＥ２が「Ｄａｔａ＿ｂ」のデータリソースを割り当てるためＳＡ＿ｂを送信するのに使われる。本開示のこの実施形態によれば、ＵＥ２は、前のＳＡ期間から、ＵＥ１がＳＡ期間＃１中に予約済みのＳＡリソース５１１を有することを知り、したがってＵＥ１により留保されたＳＡリソース５１１中で新規の「ＳＡ＿ｂ」を送信する。一例において、ＵＥ１は、新規のＳＡ＿ｂを復号するため、自身の予約済みのＳＡリソースもモニタすることになる。この例において、「ｄａｔａ＿ｂ」のデータリソースは、新規ＳＡ＿ｂのインデックス＋オフセットによって決められ、このオフセットはＳＡ＿ｂ中に示すことができようし、あるいは当業者が周知の何らかの方法でこのオフセットを指定または事前定義することができよう。すなわち、他のＤ２Ｄ対応ワイヤレスデバイスのデータリソースパターンは、このＤ２Ｄ対応ワイヤレスデバイスのＳＡインデックスと一つのオフセットとで決められ、該オフセットはＳＡ中に示されるか、または指定もしくは事前定義される。
【００４６】
上記の実施形態は、ＳＡプールの容量を増大することになろう。
【００４７】
図６は、ＳＡを送信するためのＳＡ期間がＵＥ固有のものであり、相互にインタリーブされていることを示す図である。
【００４８】
図６に示されるように、ＵＥ１は、ＳＡ期間＃１、＃３、および＃５中でＳＡ＿ａを送信し、ＵＥ２は、ＳＡ期間＃１、＃２、および＃４中でＳＡ＿ｂを送信している。ＳＡ期間＃２〜＃５の間でのＳＡおよび／またはデータの衝突はない。すなわち、本実施形態において、異なるＤ２Ｄ対応ワイヤレスデバイスのＳＡが、デバイスＩＤ、またはｅＮＢもしくはカバレッジ内のＵＥによる設定に基づいて、インタリーブされて同じまたは相異なるＳＡ期間で送信される。すなわち、Ｄ２Ｄ対応ワイヤレスデバイスがｅＮＢのカバレッジ内にあるときは、これらＳＡの送信はｅＮＢによって設定することができる。Ｄ２Ｄ対応ワイヤレスデバイスがｅＮＢのカバレッジ外にあるときは、ＳＡの送信は、他のカバレッジ内デバイスによって、または識別されたデバイスＩＤに基づいて設定すればよい。
【００４９】
図６に示されるように、ＵＥ１は、ＳＡ期間＃１、＃３、＃５中で自身のＳＡ＿ａを送信し、期間＃２および＃４でＳＡ＿ｂを受信することになる。ＵＥ２は、ＳＡ期間＃１、＃２、＃４中でＳＡ＿ｂを送信し、期間＃３および＃５でＳＡ＿ａを受信することになる。ＵＥ１およびＵＥ２のそれぞれは、さらなるＳＡおよび／またはデータ送信の衝突を回避できるように、別のＵＥのＳＡを受信する機会を有する。
【００５０】
図７は、本開示の或る実施形態による、ＳＡ送信が時間ドメインで変化することを示す図である。
【００５１】
図７に示されるように、各ＳＡ期間は、時間ドメインのサブフレーム１〜Ｎなど複数のサブフレームにまたがっており、ＳＡプールは、ＳＡ候補７０１、７０２、７０３、７０４など、時間ドメイン中に複数のＳＡ候補を含む（例として４つの候補を示す）。これらのＳＡ候補は、複数のＤ２Ｄ対応ワイヤレスデバイスに対し、データプールのデータリソースを割り当てるためのＳＡを送信するのに使われる。
【００５２】
本実施形態において、一つのＳＡ期間のＳＡプールは時間ドメインに複数のＳＡ候補を含み、一つのＳＡ期間中の、Ｄ２Ｄ対応ワイヤレスデバイスのＳＡを送信するためのこれらＳＡ候補は、次のＳＡ期間では違う位置にシフトされるが、かかるＳＡを送信するための相対的な候補のインデックスは変わらない。
【００５３】
具体的には、ＳＡ期間＃１では、四つのＳＡ候補を含むＳＡプールがＳＡ期間の開始位置に所在するが、ＳＡ期間＃２では、四つのＳＡ候補を含むＳＡプールは、ＳＡ期間の開始位置とは異なる別の位置に所在する。ＳＡ期間＃１およびＳＡ期間＃２の両方において、ＳＡ候補７０１はＳＡを送信するのに使われる。すなわち、かかるＳＡを送信するための相対的候補インデックス（「７０１」として示される）は変わらないが、このＤ２Ｄ  ＵＥに対する全体的ＳＡプールまたはＳＡ候補群は、当初の位置とは違った第二位置にシフトされる。
【００５４】
図８は、本開示の或る実施形態による、ＳＡ送信が時間ドメインで変化するのを示す別の図である。
【００５５】
本実施形態において、一つのＳＡ期間のＳＡプールは時間ドメインに複数のＳＡ候補を含み、一つのＳＡ期間中の、Ｄ２Ｄ対応ワイヤレスデバイスのＳＡを送信するためのこれらＳＡ候補は、次のＳＡ期間でも変わらないが、ＳＡを送信するための相対的な候補のインデックスがシフトされる。
【００５６】
具体的には、ＳＡ期間＃１では、四つのＳＡ候補を含むＳＡプールがＳＡ期間の開始位置に所在し、ＳＡ期間＃２でも、四つのＳＡ候補を含むＳＡプールは、このＳＡ期間の開始位置になお所在する。ＳＡ期間＃１では、ＳＡを送信するためにＳＡ候補７０１が使われているが、ＳＡ期間＃２では、そのＳＡを送信するためにＳＡ候補７０２が使われている。すなわち、ＳＡプール全体が開始位置とは異なる別の位置にシフトされることはないが、ＳＡを送信するためのＳＡ候補の相対的インデックスが変更され、７０１から７０２にシフトされている。
【００５７】
図９は、本開示の或る実施形態による、ＳＡを送信するためのＳＡ候補がどのようにシフトされるのかを示す別の図である。
【００５８】
図９に示されるように、ＳＡプールは、ＵＥ１に対する複数のＳＡ候補９０１、９０２、９０３、およびＵＥ２に対するＳＡ候補９１１、９１２、９１３を含む。本実施形態において、ＵＥ１に対するＳＡ期間＃０中の「ＳＡ＿ａ」を送信するためのＳＡ候補９０１は、時間ドメインでＳＡ期間＃１中のＳＡ候補９０２に循環的にシフトされ、ＵＥ１に対するＳＡ期間＃１中のＳＡ候補９０２は、時間ドメインでＳＡ期間＃２中のＳＡ候補９０３に循環的にシフトされる。ＵＥ２に対するＳＡ期間＃０中のＳＡ候補９１１は、時間ドメインでＳＡ期間＃１中のＳＡ候補９１２に循環的にシフトされ、ＵＥ２に対するＳＡ期間＃１中のＳＡ候補９１２は、時間ドメインでＳＡ期間＃２中のＳＡ候補９１３に循環的にシフトされる。
【００５９】
ＵＥ１に対するＳＡ候補９０２およびＵＥ２に対するＳＡ候補９１３はＳＡを送信することなく留保されるが、これらも同様に、ＳＡを送信する他のＳＡ候補と一緒に時間ドメインで循環的にシフトされる。すなわち、本実施形態では、同じＤ２Ｄ対応ワイヤレスデバイスに対するＳＡ候補は時間ドメインで循環的にシフトされ、これらシフトされるＳＡ候補には予約済みのＳＡ候補も含まれる。
【００６０】
図１０は、本開示の或る実施形態による、ＳＡを送信するためのＳＡ候補がどのようにシフトされるのかを示す別の図である。
【００６１】
図１０に示されるように、ＳＡプールは、ＵＥ１に対するＳＡ候補１００１、１００２、１００３など複数のＳＡ候補、およびＵＥ２に対するＳＡ候補１０１１、１０１２、１０１３を含む。本実施形態において、ＵＥ１に対するＳＡ期間＃０中のＳＡ候補１００１は、時間ドメインで、（ＳＡ候補１００２の位置をシフトすることなく）ＳＡ期間＃１中のＳＡ候補１００２に対応するが、ＵＥ１に対するＳＡ期間＃１中のＳＡ候補１００２は、時間ドメインで、ＳＡ期間＃２中のＳＡ候補１００３に循環的にシフトされる。ＵＥ２に対するＳＡ期間＃０中のＳＡ候補１０１１は、時間ドメインで、ＳＡ期間＃１中のＳＡ候補１０１２に循環的にシフトされるが、ＵＥ２に対するＳＡ期間＃１中のＳＡ候補１０１２は、時間ドメインで、（ＳＡ候補１０１３の位置をシフトすることなく）ＳＡ期間＃２中のＳＡ候補１０１３に対応する。
【００６２】
本実施形態において、ＵＥ１に対するＳＡ候補１００２およびＵＥ２に対するＳＡ候補１０１３はＳＡを送信することなく留保されるが、これらは、ＳＡを送信する他のＳＡ候補と共に時間ドメインで循環的にシフトされることはない。すなわち、本実施形態では、同じＤ２Ｄ対応ワイヤレスデバイスに対するＳＡ候補は時間ドメインで循環的にシフトされ、これらシフトされるＳＡ候補には予約済みのＳＡ候補は含まれない。
【００６３】
図１１は、本開示の或る実施形態による、Ｄ２Ｄ対応ワイヤレスデバイスに対するＳＡプール中のＳＡのデータ長インディケータが、ＳＡ期間群中のデータ長を示すために使われているのを示す図である。
【００６４】
本実施形態において、最初のＳＡ期間のＳＡのデータ長インディケータは全体データ長を示し、中間のＳＡ期間のＳＡのデータ長インディケータは、データリソース割り当てに対する残りのＳＡ期間を反映する低減されたデータ長を示す。
【００６５】
具体的には、図１１に示されるように、ＳＡプール１１０１、１１０３、１１０５中のＳＡのインディケータは、それぞれ、残りのＳＡ期間中のデータ長を示すために使われている。例えば、ＳＡプール１１０１中のインディケータは、データ長が五つのＳＡ期間を網羅することになるのを示し、ＳＡプール１１０３中のインディケータは、二つのＳＡ期間が経過しているので、データ長が三つのＳＡ期間を網羅することになるのを示し、ＳＡプール１１０５中のインディケータは、四つのＳＡ期間が経過しているので、データ長がＳＡ期間を一つだけ網羅することになるのを示す。すなわち、最初のＳＡ期間中のＳＡインディケータは全体データ長を示し、中間のＳＡ期間中のＳＡインディケータは、残りのＳＡ期間を考慮した低減されたデータ長を示す。本実施形態は、データ長を示すためにほんのわずかなビットサイズを必要とする。
【００６６】
或る例では、データ長の計量指標はＳＡ期間とすることができる。別の例では、データ長の計量指標は、端末間通信のサブフレームの数とすることも可能である。
【００６７】
図１２は、本開示の或る実施形態による、Ｄ２Ｄ対応ワイヤレスデバイスに対するＳＡのデータ長インディケータがＳＡ期間群中のデータ長を示すために使われているのを示す図である。
【００６８】
本実施形態において、最初のＳＡ期間のＳＡのデータ長インディケータは全体データ長を示し、中間のＳＡ期間のＳＡのデータ長インディケータは、１ビットを使って次のＳＡ期間に対する「継続」または「停止」示す。
【００６９】
図１２に示されるように、ＳＡ１２０１、１２０３、１２０５のインディケータは、それぞれ、残りのＳＡ期間中のデータ長を示すために使われている。例えば、ＳＡ１２０１のインディケータは、データ長が五つのＳＡ期間を網羅することになるのを示し、ＳＡ１２０３のインディケータは、１ビットだけを使ってデータが「継続」されることになるのを示し、ＳＡ１２０５のインディケータは、１ビットだけを使ってデータが「停止」されることになるのを示す。すなわち、最初のＳＡ期間中のＳＡインディケータは全体データ長を示し、中間のＳＡ期間中のＳＡインディケータは、１ビットを使って次のＳＡ期間に対するデータの「継続」または「停止」を示す。
【００７０】
或る例では、一つのビット「１」が「継続」を意味し、「０」が「停止」を意味することができようし、その逆にもできよう。ＳＡのデータ長フィールドの１ビットがかかる提示に使われるので、他のビットは、仮想ＣＲＣなどに使用することが可能である。すなわち、「継続」または「停止」を示す１ビットは除いて、ＳＡのデータ長フィールドの他のビットは仮想ＣＲＣのために使えばよい。
【００７１】
本実施形態は、中間のＳＡ期間では、次のＳＡ期間中のデータ長を示すために１ビットだけを必要とし、この１ビットを除くＳＡインディケータのデータ長フィールドの他のビットを仮想ＣＲＣのために使うので、この仮想ＣＲＣの利用によってエラー検出パフォーマンスを向上することができよう。
【００７２】
本出願の別の実施形態によれば、前述の諸実施形態を共に組み合わせて新しい実施形態を形成することが可能である。例えば、図１１および１２に示されるように、ＵＥ１は、残りのＳＡ期間中のそれぞれのデータ長を示すために、ＳＡ１１０１、１１０３、１１０５のインディケータ、またはＳＡ１２０１、１２０３、１２０５のインディケータを用いることができ、その一方で、予約済みのＳＡ候補１１０２、１１０４、および１２０２、１２０４は、ＵＥ２など他のＤ２Ｄ対応ワイヤレスデバイスのＳＡを反復送信するため、あるいは、ＵＥ２など他のＤ２Ｄ対応ワイヤレスデバイスに対し新規のデータリソースを割り当てるためのＳＡを送信するために使用することが可能である。
【００７３】
図１３は、本開示の或る実施形態による或るＤ２Ｄ対応ワイヤレスデバイスを概略的に示すブロック図である。
【００７４】
本実施形態による端末間（Ｄ２Ｄ）対応ワイヤレスデバイス１３００は、複数のＳＡ期間を介して他のＤ２Ｄ対応ワイヤレスデバイスと通信し、各ＳＡ期間はＳＡプールおよびデータプールを含み、ＳＡプールは、データプールのデータリソースを割り当てるためのＳＡを送信するのに使われる。
【００７５】
図１３に示されるように、本実施形態によるＤ２Ｄ対応ワイヤレスデバイス１３００は、或るＤ２Ｄ対応ワイヤレスデバイスに対して同じデータリソースを割り当てるために、複数のＳＡ期間のＳＡプール中のＳＡリソースを選択するよう構成された選択ユニット１３０１を含む。
【００７６】
別の実施形態において、選択ユニット１３０１は、他のＤ２Ｄ対応ワイヤレスデバイスのＳＡを反復送信するため、または新規のデータリソースを割り当てるため他のＤ２Ｄ対応ワイヤレスデバイスのＳＡを送信するために予約済みのＳＡリソースを用いるようさらに構成され、これら予約済みのＳＡリソースは、未選択のＳＡ期間のデータリソースパターンであって、選択されたＳＡ期間のデータリソースパターンと同じデータリソースパターンにリンクされたＳＡリソースである。
【００７７】
前述した図２〜１２の実施形態は、図１３に表された本実施形態によるＤ２Ｄ対応ワイヤレスデバイス１３００によって実現することができ、以降、同じオペレーションについてのこのような繰り返し説明は省略することとする。
【００７８】
本開示によるＤ２Ｄ対応ワイヤレスデバイス１３００は、Ｄ２Ｄ対応ワイヤレスデバイス１３００中の様々なデータを処理しそれぞれのユニットのオペレーションを制御する関連プログラムを実行するためのＣＰＵ（Ｃｅｎｔｒａｌ  Ｐｒｏｃｅｓｓｉｎｇ  Ｕｎｉｔ（中央処理装置））１３１０、ＣＰＵ１３１０によって様々な処理および制御を行うのに必要な様々なプログラムを格納するためのＲＯＭ（Ｒｅａｄ  Ｏｎｌｙ  Ｍｅｍｏｒｙ（読み取り専用メモリ））１３１３、ＣＰＵ１３１０による処理および制御の手順において一時的に生成される中間データを格納するためのＲＡＭ（Ｒａｎｄｏｍ  Ａｃｃｅｓｓ  Ｍｅｍｏｒｙ（ランダムアクセスメモリ））１３１５、および／または様々なプログラム、データなどを格納するためのストレージユニット１３１７をさらに含んでよい。上記の選択ユニット１３０１、ＣＰＵ１３１０、ＲＯＭ１３１３、ＲＡＭ１３１５、および／またはストレージユニット１３１７などは、データおよび／またはコマンドバス１３２０を介して相互接続し、相互に信号を伝達することが可能である。
【００７９】
上記のそれぞれのユニットは、本開示の範囲を限定するものではない。本開示の或る実施形態によれば、上記の選択ユニット１３０１の任意の機能または組み合わせ機能を、上記のＣＰＵ１３１０、ＲＯＭ１３１３、ＲＡＭ１３１５、および／またはストレージユニット１３１７などと組み合わせて、機能ソフトウェアによって実装してもよい。
【００８０】
図１４は、本開示の或る実施形態による、ＳＡ通知方法のフローチャートである。
【００８１】
本開示のこの実施形態による本ＳＡ通知方法は、複数のＳＡ期間を介して相互に通信する端末間（Ｄ２Ｄ）対応ワイヤレスデバイスによって使用され、これら複数のＳＡ期間は各々ＳＡプールおよびデータプールを含み、ＳＡプールは、データプールのデータリソースを割り当てるためのＳＡを送信するのに使われる。
【００８２】
図１４に示されるように、本開示のこの実施形態によるＳＡ通知方法はステップＳ１４０１を含む。ステップ１４０１で、Ｄ２Ｄ対応ワイヤレスデバイスに対し同じデータリソースを割り当てるための複数のＳＡを送信するために、複数のＳＡ期間のＳＡプールが選択される。
【００８３】
或る実施形態において、本方法は、他のＤ２Ｄ対応ワイヤレスデバイスのＳＡを反復送信するために予約済みのＳＡリソースを用いるステップをさらに含み、これら予約済みのＳＡリソースは、未選択のＳＡ期間のデータリソースパターンであって、選択されたＳＡ期間のデータリソースパターンと同じデータリソースパターンにリンクされたＳＡリソースである。
【００８４】
或る実施形態において、本方法は、ＳＡ中に示されたデバイスＩＤ、または繰り返されたＳＡインデックスもしくは送信対象のＳＡリソースのインデックスの間のリンケージを用いて、二つのＳＡが繰り返しかどうかを判定するステップをさらに含む。
【００８５】
或る実施形態において、本方法は、他のＤ２Ｄ対応ワイヤレスデバイスのデータリソースパターンが、他のＤ２Ｄ対応ワイヤレスデバイスの当初のＳＡインデックスによってなお定められていること、をさらに含む。
【００８６】
或る実施形態において、本方法は、新規データリソースを割り当てるため、他のＤ２Ｄ対応ワイヤレスデバイスのＳＡを送信するのに予約済みのＳＡリソースを用いるステップをさらに含み、これら予約済みのＳＡリソースは、未選択のＳＡ期間のデータリソースパターンであって、選択されたＳＡ期間のデータリソースパターンと同じデータリソースパターンにリンクされたＳＡリソースである。
【００８７】
或る実施形態において、本方法は、他のＤ２Ｄ対応ワイヤレスデバイスのデータリソースパターンが、Ｄ２Ｄ対応ワイヤレスデバイスのＳＡインデックスと一つのオフセットとによって決められ、該オフセットは、ＳＡ中に示されるか、または指定もしくは事前定義されること、をさらに含む。
【００８８】
或る実施形態において、本方法は、デバイスＩＤ、またはｅＮＢもしくはカバレッジ内のＵＥによる設定に基づいて、同一のまたは異なるＳＡ期間中で、異なったＤ２Ｄ対応ワイヤレスデバイスのＳＡをインターリービングに送信するステップをさらに含む。
【００８９】
或る実施形態において、一つのＳＡ期間のＳＡプールが複数のＳＡ候補を含み、一つのＳＡ期間中の、Ｄ２Ｄ対応ワイヤレスデバイスのＳＡを送信するためのこれらＳＡ候補は、時間ドメインで、次のＳＡ期間中のＳＡプール中の他の位置にシフトされるが、かかるＳＡを送信するための相対的な候補インデックスは変更されない。
【００９０】
或る実施形態において、一つのＳＡ期間のＳＡプールは複数のＳＡ候補を含み、一つのＳＡ期間中のＤ２Ｄ対応ワイヤレスデバイスのＳＡを送信するためのこれらＳＡ候補は、時間ドメインで、次のＳＡ期間のＳＡプール中で変更はされないが、該ＳＡを送信するための相対的な候補インデックスはシフトされる。
【００９１】
或る実施形態において、最初のＳＡ期間で送信されたＳＡ中のデータ長インディケータは全体データ長を示し、中間のＳＡ期間で送信されたＳＡ中のデータ長インディケータは、データリソース割り当てに対する残りのＳＡ期間を反映する低減されたデータ長を示す。
【００９２】
或る実施形態において、最初のＳＡ期間で送信されたＳＡ中のデータ長インディケータは全体データ長を示し、中間のＳＡ期間で送信されたＳＡ中のデータ長インディケータは、１ビットを使って、次のＳＡ期間に対する「継続」または「停止」を示す。
【００９３】
或る実施形態において、「継続」または「停止」を示す１ビットを除く、ＳＡのデータ長フィールドの他のビットは、仮想ＣＲＣのために使われる。
【００９４】
或る実施形態において、データリソースを割り当てるためのＳＡ期間のＳＡリソースが、Ｄ２Ｄ対応ワイヤレスデバイスによって検出されたとき、次のＳＡ期間中の同じデータリソースを示すＳＡリソースは、そのＤ２Ｄ対応ワイヤレスデバイスによっては検出されない。
【００９５】
本開示の前述の諸実施形態は、単なる例示的な説明であって、これらの具体的な構造およびオペレーションは本開示の範囲を限定するものではない。当業者は、前述の実施形態それぞれの各種の部分およびオペレーションを再組み合わせして、本開示の概念と等しく合致する新規の実装を生成することが可能である。
【００９６】
本開示の実施形態は、ハードウェア、ソフトウェア、およびファームウェア、またはこれらの組み合わせによって実装されてよく、実装の仕方は本開示の範囲を限定しない。
【００９７】
本開示の実施形態中のそれぞれの機能素子（ユニット）間の接続関係は、本開示の範囲を限定するものでなく、一つまたは複数の機能素子（群）またはユニット（群）が任意の他の機能素子を含んでも、またはこれらに接続されてもよい。
【００９８】
本開示のいくつかの実施形態を添付の図面と併せ上で示し説明してきたが、当業者は、本開示の原理および精神から逸脱することなく、これらの実施形態に対し、本開示の特許請求の範囲になお含まれる変形または修改、およびそれらの同等物が作製され得ることを理解していよう。
【図１】
0006412581.tif 000002
【図２】
0006412581.tif 000003
【図３】
0006412581.tif 000004
【図４】
0006412581.tif 000005
【図５】
0006412581.tif 000006
【図６】
0006412581.tif 000007
【図７】
0006412581.tif 000008
【図８】
0006412581.tif 000009
【図９】
0006412581.tif 000010
【図１０】
0006412581.tif 000011
【図１１】
0006412581.tif 000012
【図１２】
0006412581.tif 000013
【図１３】
0006412581.tif 000014
【図１４】
0006412581.tif 000015